Podtech/llm-jp-corpus-v4-ja_patent huggingface dataset:
(57)【要約】      （修正有）【課題】持ちやすく、使いやすく、皮膚を損傷せずにソフトな感触となめらかな操作性を得る替刃式レザーを提供する。【解決手段】刀身１の替刃保持部３の角度を１０°から２０°に設定し、刀幹４に滑り止めを設ける。【選択図】    図１
2004313674.tif 000002
【特許請求の範囲】
【請求項１】
刀身１の替刃保持部３の角度を１０°から２０°に設定して設けた替刃式レザー。
【発明の詳細な説明】
【０００１】
【産業上の利用分野】
本発明は替刃式レザーに関するものである。
【０００２】
【従来の技術】
従来の替刃式レザーは、理、美容師に広く使用されていた。
図９に示すように、刀身１とハンドル５の組み合わせによって構成されていた。
図６に示すように、替刃保持部３の形状が厚く形成されていた。
また図９に示すように、刀幹部４の形状の幅が広く、薄く形成されていた。
【０００３】
【発明が解決しようとする課題】
従来の替刃式レザーには、次のような欠点があった。
イ、図８に示すように、替刃保持部３が厚く形成されいたので３０°以上の大きな対皮刃角度で使用されていた。いわゆる皮膚面に刃が立つ作用状況であった。
ロ、図９に示すように、刀幹部４の形状の幅が広く、薄く形成されていたので持ちにくく、使いにくかった。
上記のような状態であるから、実際のシェービングにおいて滑らかな操作がしにくいので、皮膚に当たりが強く切れ味が低下して、痛い、血が出る、かみそり負けをする等の皮膚を損傷する不快が伴った。
【０００４】
本発明は上記の技術的課題を鑑みて、滑らかな操作性と、皮膚を損傷しない安全性と、ソフトな感触を確保して、快適なシェービングができる。
替刃式レザーを提供するものである。
【０００５】
【発明が解決するための手段】
上記課題である。滑らかな操作性と、皮膚を損傷しない安全性と、ソフトな感触を確保して快適なシェービングをするには替刃保持部３に適度の角度を設けて、刀肩２を薄くして、刀幹部４を持ちやすい形状にして、溝状、凹凸状、波形状、のすべり止めを設ける。
【０００６】
シエービングとは、顔面に突き出た髭９を替刃保持部３に装着した替刃７をすべらせるように移動して除去するものであって、切削作用といわれている。その切削作用を良好にするには、皮膚８に替刃７を良くねかせて、斜行してシェービングをすることである。
【０００７】
図７に示すように、本発明の替刃式レザーの替刃保持部３に替刃７を装着して皮膚８に良くねかせた作用状況である。
イ、替刃保持部３に適度の角度を設けて、その角度に合うように、刀肩２を薄くしてあるから、刀肩２が皮膚８に接触しにくいので、替刃保持部３に装着した替刃７を容易にねかせることができると共に斜行することもできるので、切削抵抗と切削摩擦を最小限にすることができるのである。そして替刃保持部に設ける角度は替刃７の厚さと、研磨角度にもよるが１０°から２０°が適している。
ロ、刀幹部４を長方形の形状の形状にして、すべり止めを設けてあるから、持ちやすく、使いやすいのである。
このようにして、従来の欠点を解決したものと考え本発明を完成させたものであり、次のようなものである。
【０００８】
刀身１の替刃保持部３の角度を１０°から２０°に設定して設けた替刃式レザー。
【０００９】
【作用】
本発明の替刃式レザーは、次のように使用する。
刀幹部４を人差し指、中指、薬指の三指と親指で挟むようにして、刀尾６に小指を内側に曲げて当てて保持する。そしてシェービング操作においては、図７に示すように、替刃保持部３に設けた角度をガイドにして、皮膚８に接するようにすると替刃７を良くねかせると共におのずと斜行するのであるから、滑らかな操作性と、皮膚を損傷しない安全性と、ソフトな感触を確保して快適なシェービングができるのである。
【００１０】
【実施例】
実施例１
本発明の実施例を図１、図２、図３、図７について説明をする。
図１、図２、図３、図７は、それぞれ実施例１のものの、構造及び作用を示す、斜視図、正面図、断面図である。
図１は、西洋形の替刃式レザーの斜視図であって、刀幹部４に溝状のすべり止めを設けている。そして凹凸状、波形状にしてもよい。
図２は、日本形の替刃式レザーの斜視図であって、刀幹部４に溝状のすべり止めを設けている。そして凹凸状、波形状にしてもよい。
図３は、刀身１の正面図であって、刀身１の替刃保持部３に設けた角度のピークから薄くした刀肩２のピークにコンケーブ１０を設けている。
図７は、作用要部の拡大断面図であって、替刃式レザーに替刃７を装着して、替刃保持部３に設けた角度をガイドにしたシェービングの状況を示している。
【００１１】
実施例２
図４は、刀身１の正面図であって、刀身１の替刃保持部３に設けた角度のピークから薄くした刀肩２を少し下にさげて設けたピークにコンケーブ１０を設けている。
【００１２】
実施例３
図５は、刀身１の正面図であって、刀身１の替刃保持部３に設けた角度のピークから薄くした刀肩２を少し下にさげて設けたピークにフラットに設けている。
【００１３】
【発明の効果】
本発明の替刃式レザーは、替刃保持部３に適度の角度を設けて、刀幹部４を持ちやすい形状にして、すべり止めを設けてあるから、フリーハンド、ペンハンド、バックハンド、プッシュハンド、ステッキハンドの持ち方が自在にできる持ちやすさであるから、替刃保持部３と刀幹部４の機能とが相俟って顔面各部位を安全な対皮刃角度を保って、痛くなく、出血することなく、かみそり負け等の皮膚を損傷することなく、綺麗に、気持ちの良いシェービングができるのである。
【図面の簡単な説明】
【図１】実施例１の西洋形の替刃式レザーの斜視図と各部の名称である。
【図２】実施例１の日本形の替刃式レザーの斜視図と各部の名称である。
【図３】実施例１の拡大正面図である。
【図４】実施例２の拡大正面図である。
【図５】実施例３の拡大正面図である。
【図６】従来の替刃式レザーの拡大正面図である。
【図７】実施例１の作用要部の拡大断面図である。
【図８】従来の作用要部の拡大断面図である。
【図９】従来の替刃式レザーの斜視図と各部の名称である。
【符号の説明】
１  刀身
２  刀肩
３  替刃保持部
４  刀幹部
５  ハンドル
６  刀尾
７  替刃
８  皮膚
９  髭
１０  コンケーブ
【図１】
2004313674.tif 000003
【図２】
2004313674.tif 000004
【図３】
2004313674.tif 000005
【図４】
2004313674.tif 000006
【図５】
2004313674.tif 000007
【図６】
2004313674.tif 000008
【図７】
2004313674.tif 000009
【図８】
2004313674.tif 000010
【図９】
2004313674.tif 000011
(57)【要約】【課題】粘着ローラーなど、ローラー応用品に於いて、不使用時にコンパクトな形状に変形して嵩張りを解消する。【解決手段】ロール保持部の担体バー１の両サイドに付いた軸受バー２が２７０度回転して折りたためる構造とする。軸受バー２の片面には折りたたんだ時に担体バー１に嵌め込み固定するためのガイド３を設け、もう一方の面は広げた時に担体バー１に嵌まり込む形状にする。あるいは担体バー１の両端に軸受バー２を嵌め込む溝４を設け、両サイドの軸受バー２には溝４に嵌め込む切れ込み５を入れて両サイドの軸受バー２を、担体バー１へ脱着可能とする。【選択図】  図１
2004313664.tif 000002
【特許請求の範囲】
【請求項１】
粘着ローラーなどのローラー応用品に用いるロール保持部であって、担体バーの両サイドについた軸受バーが２７０度回転して折りたためる構造であり、軸受バーの片面に、折りたたんだ時に担体バーに嵌め込み固定するためのガイド３を設け、もう一方の面は広げた時に担体バーに嵌まり込む形状にする事によって、非使用時に折りたたんでコンパクトな大きさにする事を可能としたもの。
【請求項２】
粘着ローラーなどのローラー応用品に用いるロール保持部であって、担体バーの両端には軸受バーを嵌め込む溝を設け、軸受バーには担体バーの溝に嵌め込む切れ込みを入れて両サイドの軸受バーを脱着可能とし、非使用時に軸受バーを取り外してコンパクトな大きさにする事を可能としたもの。
【発明の詳細な説明】
【０００１】
【発明の属する技術分野】
本発明は、粘着ローラーなどのローラー応用品に於いて、使用時に保持部をコンパクトな大きさに変形させる事によって携帯可能とする技術に関するものである。
【０００２】
【従来の技術】
従来、ローラーの形状は、ロール保持部を構成する担体バーと軸受バーが直交して伸びており、かつロールと担体バーが接触しないように間隔を取る必要が有る。このため、隙間が多く実際の大きさに比して空間に占める割合が多く、手荷物としては嵩張り、このため携行や保管に関して不便であった。
【０００３】
【発明の実施の形態】
請求項１に係る実施形態としては、ロール保持部の担体バー１の両サイドに付いた軸受バー２が２７０度回転して折りたためる構造とし、軸受バー２の片面には折りたたんだ時に担体バー１に嵌め込み固定するためのガイド３を設け、もう一方の面は、広げた時に担体バー１に嵌まりこむような形状にする。担体バー１と軸受バー２の繋ぎ目が折り曲げの繰り返しに耐えうる材質として、可撓性に優れたポリアミド樹脂やポリウレタン樹脂などを使用する。
【０００４】
請求項２に係る実施形態としては、担体バー１の両端に軸受バー２を嵌め込む溝４を設け、両サイドの軸受バー２には溝４に嵌め込む切れ込み５を入れて両サイドの軸受バー２を脱着可能とする。脱着の繰り返しに耐えるよう、担体バー１と軸受バー２の材質として、適度な可撓性を有するＰＥＴ樹脂板などを使用する。
【０００５】
【発明の効果】
このようにすれば、ローラーを使用しない時にはコンパクトなサイズとする事ができ、携行や保管が簡便となる。
【図面の簡単な説明】
【図１】折りたたみロール保持部の一般状態の斜視図である。
【図２】折りたたみロール保持部を折りたたんだ状態の斜視図である。
【図３】折りたたみロール保持部を広げた状態の斜視図である。
【図４】脱着式ロール保持部の軸受を取り外した状態の斜視図である。
【図５】脱着式ロール保持部の軸受を取り付けた状態の斜視図である。
【符号の説明】
１  担体バー
２  軸受バー
３  ガイド
４  担体バーの溝
５  切れ込み
【図１】
2004313664.tif 000003
【図２】
2004313664.tif 000004
【図３】
2004313664.tif 000005
【図４】
2004313664.tif 000006
【図５】
2004313664.tif 000007
(57)【要約】      （修正有）【課題】マスクのフイルタ以外の部分からの外気の侵入を防ぐ。【解決手段】不織布というミクロン単位のほこりも通さない材質で作った袋状のフイルターに特殊構造の呼吸用チューブを付ける。【選択図】  図２
2004313669.tif 000002
【特許請求の範囲】
【請求項１】
本発明は花粉症を防ぐ為のものである。外観は普通のマスクとまったく同じだが、構造上は花粉やほこりをほぼ完全にシャットアウトすることができます。この特殊構造付きマスクの全形に対して特許請求します。
【発明の詳細な説明】
普通のマスクはどんなにいい材質を使っても、どんな形の物を作っても、マスクの回りの隙間から必ずほこりや花粉などが吸われてしまう。この問題を解決する為に、考案したのはマスク全体を一つの袋状フイルターにしてしまうことである。その袋状フイルターの裏側に二つの孔を開けて二個のチューブを取り付けます。（図Ａ  マスクの表面、図Ｂマスクの裏面、（ａ）鼻に装着用チューブ、ＡとＢの回りを縫い合わせると袋状になります。）この二つのチューブを鼻に装着して、（もちろん鼻孔とチューブの回りが空気漏れないことを前提に、）あとは、普通のマスクと同じ様に付ければいいです。この時は鼻からの呼吸はすべて袋状フイルターを通してすることによって、常にきれいな空気を吸ったり吐いたりすることができます。従って、ほこりや花粉を吸わないことによって、花粉症などを予防することができるという事である。
2004313669.tif 000003
【手続補正書】
【提出日】平成15年7月22日(2003.7.22)
【手続補正１】
【補正対象書類名】明細書
【補正対象項目名】全文
【補正方法】変更
【補正の内容】
【特許請求の範囲】
【請求項１】本発明は花粉症を防ぐ為のものである。外観は普通のマスクとまったく同じだが、構造上は花粉やほこりをほぼ完全にシャトアウトすることができます。この特殊構造付きマスクの全形に対して特許請求します。
【発明の詳細な説明】
【０００１】
【発明の属する技術分野】
普通のマスクはどんなにいい材質を使っても、どんな形の物を作っても、マスクの回りの隙間から必ずほこりや花粉などが吸われてしまう。この問題を解決する為に、考案したのはマスク全体を一つの袋状フイルターにしてしまうことである。その袋状フイルターの裏側に二つの孔を開けて二個の呼吸用チューブを取り付けます。（図１マスクの表面、図２マスクの裏面、（ａ）、（ｂ）鼻に装着する呼吸用チューブ、（図１）と（図２）の回りの点線部分を縫い合わせると袋状になります。）この二つの  呼吸用チューブを鼻に装着して、（もちろん鼻と呼吸用チューブの回りが空気漏れないことを前提に、）あとは、普通のマスクと同じ様に付ければいいです。この時は鼻からの呼吸はすべて袋状フイルターを通してすることによって、常にきれいな空気を吸ったり吐いたりすることができます。従って、ほこりや花粉を吸わないことによって、花粉症などを予防することができるという事である。
【図面の簡単な説明】
【図１】二枚のマスクの回りを縫い合わせる前のマスク表面の図です。
【図２】二枚のマスクの回りを縫い合わせる前のマスク裏面の図です。
【符号の説明】
１．（ａ）（ｂ）は鼻に装着する呼吸用チューブの符号です。


【手続補正２】
【補正対象書類名】図面
【補正対象項目名】全図
【補正方法】変更
【補正の内容】
【図１】
2004313669.tif 000004
【図２】
2004313669.tif 000005
(57)【要約】【課題】本発明において解決すべき課題は、角ハンガーの開閉時にクリップ同士、又はクリップを吊るすチエンとが絡み合うことを防止し、その場合に角ハンガーフレームの幅を広げることなしに、効果を挙げることである。【解決手段】角ハンガーフレームのクリップ懸架部へガイド板を設置し、角ハンガー開閉時に、クリップ吊るし具の運動方向を規制し、且つクリップの運動方向も規制して互いの絡み合いを防ぐことによってクリップを整列させ解決する。【選択図】図４
2004313663.tif 000002
【特許請求の範囲】
【請求項１】
角ハンガーの開閉時に、フレームに設置した懸架部に付属するガイド板により、クリップの吊るし具の動きを規制し、クリップの絡み合いを防止する為の、クリップ、クリップ吊るし具及び懸架部の構造。
【発明の詳細な説明】
【０００１】
【発明の属する技術分野】
本発明は、角ハンガーの折りたたみ時にクリップが絡み合わないためのクリップの吊るし具と、角ハンガーフレームに設置した懸架部の構造に関する。
【０００２】
【従来の技術】
従来のこの種の角ハンガーにおいては、開閉時にクリップを吊るすチエンとクリップ自体が絡み合い、開閉に不自由なものが多かった。これは本申請人が特願平１１−１６５７４７によって特許申請を行っている方法で解決できるが、この方法は角ハンガーのフレームでクリップを受けることによってクリップの動きを規制している。この方法によると、角ハンガーのフレーム枠の幅が広がり原料の消費が大きくなることが考えられる。
【０００３】
【発明が解決しようとする課題】
本発明において解決すべき課題は、角ハンガーの開閉時にクリップ同士、又はクリップを吊るすチエンとが絡み合うことを防止する、その場合に角ハンガーフレームの幅を広げることなしに、効果を挙げることである。
【０００４】
【課題を解決するための手段】
この技術に関する本考案の要点は、懸架部へガイド板を設置し、角ハンガー開閉時に、クリップの吊るし具の運動方向を規制し、且つクリップの運動方向も規制して互いの絡み合いを防ぐことによって解決する。
【０００５】
【発明の実施の形態】
中央に特定の山形をしたバネを持ったクリップ、その山形と同じ角度を持ったクリップ吊り下げ部と、角ハンガー本体に付属する懸架部のクリップ吊り下げ受け部と同じ角度を持った吊り下げ部を持ったクリップ吊るし具、及び角ハンガーに付属し、対応するクリップ吊るし具の山形の角度を持ち、クリップ釣具の動きを規制するガイド板を持つ懸架部によって形成される。
【実施例】
図１は、本考案のクリップの平面図である。（１）はクリップ本体で、このクリップのバネ（２）は、中央が図のように角度を持った山形をしている。
【０００６】
図２は、クリップの吊るし具の平面図と側面図である。（３）は、吊るし具の角ハンガー本体に付属する懸架部に懸架するためのリング部、この内側の形状は、（４）に示すように角度を持った山形をしている。（５）は、クリップを吊るすリング部、この内側の形状は、（６）に示すように角度を持った山形をしている。（７）は、胴体部、（８）は、懸架部へ装着するためのスリットで、この隙間を広げながらクリップ吊り具を装着できる。
（９）は、クリップを装着するためのスリットで、この隙間を広げながらクリップのバネを通す。
【０００７】
図３は、吊り下げ具を装着する為の、角ハンガー本体に付属する懸架部の図である。見取り図のような形となっている。（１０）は、クリップ吊るし具を装着する為の受け部で（４）の山形と同じ角度で凹形となっている。（１１）は、足部で角ハンガー本体に付着している。（１２）は、クリップ吊るし具の動きを規制するガイド板である。
【０００８】
図４は、角ハンガー本体に付属するハング部にクリップ吊り下げ具を装着し、角ハンガーを折り畳んだ時の状態を示している。クリップ吊るし具の（４）の山形と同じ角度を持ったハンガー部の山形によって、クリップ吊るし具は懸架部の中心に吊り下げられる。この動作を助けるために（１２）のガイド板が作用する。ガイド板は、角ハンガーの開閉時に、クリップ吊るし具はガイド板によって動きを規制され、ハンガー部の山形の中心へ来る。
【０００９】
クリップ吊るし具のピンチ側（６）の山形によって、クリップはその中心が支点となる。以上によって折り畳み時にクリップは、同じ状態に１方向を向いて整列する。
【００１０】
角ハンガーの折り畳み方法は、２種の方法がある。
図５は、角ハンガーの折り畳み支点（１７）を上において折り畳んだ状態を示す。
（１６）は角ハンガー本体、（１３）は、角ハンガー本体に付着している懸架部、（１４）は、ピンチ吊り具、（１５）は、ピンチである。  折り畳むことによって、先ず、ピンチ吊り具は（１２）のガイド板によって動きを規制され、垂直に垂れる形となる。折り畳みが進行するとピンチがピンチ吊り具の下に１方向に整列される状態となる。
最終的に、各ピンチは角ハンガー本体の枠内に整列され、互いに絡み合うことはなくなる。
【００１１】
図６は、角ハンガーの折り畳み支点を下において折り畳んだ状態を示す。
この時も、角ハンガー体に付着している懸架部（１３）の位置が違うだけで動作は同じである。
【００１２】
【発明の効果】
今までの角ハンガーの開閉時にクリップ同士又はクリップを吊るすチエンとが絡み合うことが多く開閉時に不便であったがこれを防止することができる。
【図面の簡単な説明】
【図１】クリップの図
【図２】クリップ吊るし具の図
【図３】懸架部の図
【図４】クリップが正常に収納された状態の図
【図５】折り畳み支点を上において折り畳んだ状態の図
【図６】折り畳み支点を下において折り畳んだ状態の図
【符号の説明】
（１）  クリップのバネ
（２）  クリップの本体
（３）  クリップ吊るし具の懸架部側のリング部
（４）  同上リング部の内側山形
（５）  同上リング部の内側山形のクリップ側のリング部
（６）  同上リング部の内側山形
（７）  クリップ吊るし具の胴体部
（８）  クリップ吊るし具の懸架部側の装着用スリット
（９）  クリップ吊るし具のクリップ側の装着用スリット
（１０）  懸架部の吊り下げ受け部
（１１）  懸架部の脚部
（１２）  懸架部のガイド板
（１３）  懸架部
（１４）  クリップ吊るし具
（１５）  クリップ
（１６）  角ハンガーフレーム
（１７）  折り畳み支点
【図１】
2004313663.tif 000003
【図２】
2004313663.tif 000004
【図３】
2004313663.tif 000005
【図４】
2004313663.tif 000006
【図５】
2004313663.tif 000007
【図６】
2004313663.tif 000008
(57)【要約】【課題】従来、アクリル樹脂ネームプレートに安全ピンを附着させるか、Ｕ型クリップを固定し使用していたネームプレートにおけるクリップを、取り付けが非常に簡単で、胸ポケットの納まりも良く、はずれる事がなく、さらに危険性のないＪ型安全クリップを提供する。【解決手段】鉄・強化樹脂などを材質として全体をＵ字状の平板にクリップ本体（１）を形成し、その開口側の端部の一方は、やや底面方向に下り勾配を持たせた傾斜角を形成した上で、下方向から平面方向へ湾曲させた鉤型クリップ部（３）となし、他方、開口側の端部を前記鉤型クリップ部の先端よりもやや長く突出するように、かつ下方向にわずかに傾斜をもたせ延設して線条端部（４）となし、板状プレートなどに挿設可能としたことを特徴とする、Ｊ型安全クリップである。【選択図】    図１
2004313662.tif 000002
【特許請求の範囲】
【請求項１】
鉄・強化樹脂等を材質として全体をＵ字状の平板にクリップ本体を形成し、その開口側の端部の一方は、やや底面方向に下り勾配を持たせた傾斜角を形成した上で、下方向から平面方向へ湾曲させた鉤型クリップ部となし、他方、開口側の端部を前記鉤型クリップ部の先端よりもやや長く突出するように、かつ下方向にわずかに傾斜をもたせ延設して線条端部となし、板状プレートなどに挿設可能としたことを特徴とする、Ｊ型安全クリップである。
【発明の詳細な説明】
【０００１】
【発明の属する技術分野】
この発明は主に学生服、事務服等の制服、ジャケット、バック類等のネームプレートに使用するピン・クリップの改良にかかわるものである。
【０００２】
【従来の技術】
従来、アクリル樹脂製ネームプレートに附属するクリップの技術としては、その裏面に安全ピンを附着させるか、Ｕ型クリップを固定さる技術が広く知られているところである。
【０００３】
【発明が解決しようとする課題】
これは次のような欠点があった。
（イ）安全ピンの場合、指に誤ってピンの先を刺してしまったりして危険性が高い。
（ロ）安全ピンの場合、ピンの先で生地を幾度も通すため生地を痛めた。
（ハ）安全ピンの場合、一本の鉄線等で留めていたため、安定性に欠けていた。
（ニ）Ｕ型クリップはぬけやすい。
（ホ）上記の安全クリップ、または安全ピンはともに外部からみえるため、デザイン上も芳しいとは言えない。
本発明は、これらの欠点を除くためになされたものである。
【０００４】
【課題を解決するための手段】
本発明の構成について、図１及び図２の実施例を参照しつつ説明すれば、図１は本発明Ｊ型安全クリップの正面図を示すものであるが、全体を平板状に、かつＵ字状になるように（図２参照）、鉄・強化樹脂等で形成してクリップ本体（１）となす。ここで形成される開口部によって、線条は２つの部分に分かれるわけだが、その一方は先端部を下から上（平面）方向へカーブする湾曲部として形成する。この際、湾曲部の底辺は、平板の底面よりも下方向にやや勾配をもたせた傾斜角を有するように形成するものとする。これによって形成された、鉤型クリップ部（３）は、ビニール樹脂や他の樹脂でつくられたネームプレートの端部に挿し込み、また一度挿し込まれた同プレートが抜けにくくなるための構造を採用している。次に本発明の線条端部（４）について説明すれば、鉤型クリップ部位置より、やや長くなるように（図１参照）に形成し、その先端部分を上から下（底面）方向に曲げ形成する。本発明は、以上のような構成からなるＪ型安全クリップである。
【０００５】
【発明の実施の形態】
以下、本発明の実施例について説明する。
（イ）  鉄・強化樹脂などの材質として全体をＵ字状に平板にクリップ本体を形成し、その開口側の端部の一方は、やや底面方向に下り勾配を持たせた傾斜角を形成した上で、下方向から平面方向へ湾曲させた鉤型クリップ部となし、他方、開口側の端部を前記鉤型クリップ部の先端よりもやや長く突出するように、かつ下方向にわずかに傾斜をもたせ延設して線条端部とし、板状プレートなどに挿設する。
（ロ）  用途に応じてはネームプレートにＪ型安全クリップを２本、３本と挿設する。
（ハ）  胸ポケット等、生地に直接本発明のＪ型安全クリップを留める場合は、クリップが挿入可能な幅、長さのポケットをつくり、かつクリップと同じ、サイズの幅、長さに縫製する。挿入口の仕様は、２枚布を合わせクリップの挿入幅のみをあけ、他は縫い合わせる。挿入口の位置は、プレートの大きさ等、任意により決定し、線条端部（４）を納める位置をポケット内につくる。
（ニ）  素材が合皮等から形成されるＪ型安全クリップ専用ポケットが考えられその場合は、生地に直接縫製するのと同様クリップが挿入可能な幅に縫製し、挿入口は丸型状にあけ、生地に取り付ける。
【０００６】
【発明の効果】
本発明のＪ型安全クリップは、取り付けが非常に簡単で、胸ポケットの納まりも良く、安全住があるために機能性もよく、はずれる事がない。また、袋状内部に収納するために外部からはクリップがみえないため、デザイン上も芳しい。さらに突起物がないために安全である。
【図面の簡単な説明】
【図１】Ｊ型安全クリップの正面図である。
【図２】Ｊ型安全クリップの平面図である。
【図３】Ｊ型安全クリップが樹脂プレートに固定された正面図である。
【図４】Ｊ型安全クリップが樹脂プレートに固定された平面図
【符号の説明】
１  クリップ本体
２  Ｕ字型湾曲部
３  鉤型クリップ部
４  線条端部
５  ネームプレート先端部分
【図１】
2004313662.tif 000003
【図２】
2004313662.tif 000004
【図３】
2004313662.tif 000005
【図４】
2004313662.tif 000006
(57)【要約】      （修正有）【課題】輸液剤が点滴筒内部より流出完了と同時に点滴筒の輸液剤導管を塞ぎ血管よりの血液流出を防止する点滴筒を提供する。【解決手段】点滴筒内部に浮き玉逆止弁を封入し輸液剤が点滴筒内部より流出完了と同時に点滴筒内の浮き玉逆止弁が輸液剤導管を塞ぎ静脈血管より導管内部に血液流入を防止する浮き玉逆止弁を封入した点滴筒。【選択図】図３
2004313694.tif 000002
【特許請求の範囲】
【請求項１】
点滴筒（１）の内部（２）に輸液剤流出停止浮き玉逆止弁（３）を封入した点滴筒
【発明の詳細な説明】
【０００１】
［発明の属する技術分野］
この発明は点滴筒の内部に輸液剤流出停止の浮き玉逆止弁を封入した点滴筒である。
【０００２】
［従来の技術］
従来点滴筒には輸液剤流出停止の浮き玉逆止弁を封入した点滴筒はなかった。
【０００３】
［発明が解決しよぅとする課題］
これは次のような欠点があった。
（イ）従来の点滴筒には輸液剤の流出を停止する点滴筒はなかった。
（ロ）その為輸液剤が点滴筒から流出した後は空気が輸液剤導管内部に入り輸液が静脈圧力と同圧力になるまでは静脈に輸液が注入できたが静脈圧力と空気圧力の均衡が崩れたときに静脈より血液が輸液導管内部に流出する。
その為流出した血液が静脈針内部と輸液導管内部で凝固し次の輸液剤注入ができなかった。
（ハ）本発明はこれらの欠点を解決する為点滴筒内部に浮き玉逆止弁を封入し輸液剤が点滴筒内部より流出完了と同時に点滴筒の輸液剤導管を塞ぎ血管よりの血液流出を防止する点滴筒である。
【０００４】
［問題を解決する為の手段］
点滴筒（１）の内部（２）に浮き玉逆止弁（３）を封入する。
【０００５】
［発明実施の形状］
点滴筒（１）の内部（２）に浮き玉逆止弁（３）を封入した点滴筒。
【０００６】
［発明の効果］
従来の点滴筒には輸液剤流出を停止する機能の付いた点滴筒は無かった。その為輸液剤が点滴筒から流出した後は空気が輸液剤導管内部に入り輸液が静脈圧力と同じ圧力になるまでは静脈に輸液が注入できたが静脈圧力と空気圧力の均衡が崩れた時に静脈より血液が輸液導管内部に流出する。その為流出した血液が静脈針内部と輸液導管内部で凝固し連続輸液剤注入の場合次の輸液剤注入か出来なくなり点滴針の刺し替えが必要となり看護師の仕事が増えると同時に患者にとっては痛い思いと同時に不安な感情が増幅された。
以上の様な欠点を取り除く為に本発明は点滴筒内部に浮き玉逆止弁を封入し輸液剤が点滴筒内部より流出完了と同時に点滴筒の輸液剤導管を塞ぎ空気の輸液剤導管内部の流入を塞ぎ血管よりの血液流出を防止する浮き玉逆止弁を封入した輸液剤注入導管内に血液流出を防止する浮き玉逆止弁を封入した点滴筒である。
【図面の簡単な説明】
【図１】従来の点滴筒
【図２】従来の点滴筒
【図３】本発明の点滴筒
【図４】本発明の点滴筒
【図１】
2004313694.tif 000003
【図２】
2004313694.tif 000004
【図３】
2004313694.tif 000005
【図４】
2004313694.tif 000006
(57)【要約】【課題】足元部分にゆとりを作り、敷布団を差し込むポケット状の袋を付けた毛布と、足元部分にゆとりを作り、敷布団に巻き込む布をつけた毛布を提供する。【解決手段】毛布（１）の足元になる幅（２）にタック（３）でゆとりを作り、その足元になる幅（２）とポケット布の幅（７）とを縫い合わせる。最後に折りこみ部分（４）とポケット布の側面（８）を縫合し、ポケット状の袋を設けた毛布と、毛布（１）の足元になる幅（２）にタック（３）でゆとりを作り、その足元になる幅（２）と巻き込み布の幅（１０）とを縫い合わせ、敷布団に巻き込んで使用する巻き込み布（９）を設けたことを特徴とする。【選択図】    図１
2004313696.tif 000002
【特許請求の範囲】
【請求項１】
毛布（１）の足元になる幅（２）にタック（３）でゆとりを作った所と、ポッケト布の幅（７）とを接ぎ、折り込み部分（４）とポッケト布の側面（８）を縫い合わせポッケト状の袋を作った、足元にゆとりを付けた敷布団を包む毛布。
【請求項２】
毛布（１）の足元になる幅（２）にタック（３）でゆとりを作った所と、巻き込み布の幅（１０）とを接ぎ、敷布団に巻き込めるようにした足元にゆとりを付けた敷布団を包む毛布。
【発明の詳細な説明】
【０００１】
【発明の属する技術分野】
この発明は足元部分にゆとりを作り、敷布団を差し込むポッケト状の袋をつけ足元にゆとりを付けた敷布団を包む毛布と、敷布団を巻き込む布を付けた足元にゆとりを付けた敷布団を包む毛布に関するものである。
【０００２】
【従来の技術】
従来、毛布は長方形の形をした一枚の布で、平面的なものであった。
【０００３】
【発明が解決しようとする課題】
これは次のような欠点があった。
イ．毛布の大きさは決まっており、足元部分を敷布団に包んで使用すると丈が短くなり、肩のあたりを覆う寸法が足りなくなる。
ロ．敷布団を包んで使用した場合、足元のゆとり感が無くなり、圧迫感を感じ動きにくい。
ハ．寝ている間に何度も寝返りを打つと外れてしまい、外気が布団の中に入り、安眠できない。
本発明は、以上の欠点を解決するためになされたものである。
【０００４】
【課題を解決するための手段】
毛布（１）の足元になる幅（２）にタック（３）でゆとりを作る。
その足元になる幅（２）とポケット布の幅（７）とを縫い合わせる。
最後に折り込み部分（４）とポケット布の側面（８）を縫合し、ポケット状の袋を作る。
本発明は、以上の構成によりなるポケット状の袋部分に敷布団を差し込めるようにした足元にゆとりを付けた敷布団を包む毛布である。
【０００５】
毛布（１）の足元になる幅（２）にタック（３）でゆとりを作る。
その足元になる幅（２）と巻き込み布の幅（１０）とを縫い合わせる。
本発明は、以上の構成よりなる巻き込み布を敷布団に巻き込めるようにした足元にゆとりを付けた敷布団を包む毛布である。
【０００６】
【発明の実施の形態】
以下、本発明の実施の形態を説明する。
（イ）毛布（１）の足元になる幅（２）にタック（３）でゆとりを作ることにより、立体感がその部分に生まれる。
（ロ）その足元になる幅（２）とポケット布の幅（７）と縫い合わせる。
（ハ）折り込み部分（４）とポケット布の側面（８）を縫い合わせると、ポッケット状の袋ができあがる。
本発明は、以上の構成よりなっている。
本発明は次のようにして使用する。
毛布（１）の足元になる幅（２）とポケット布の幅（７）と縫い合わせる。
そして折り込み部分（４）とポケット布の側面（８）を縫い合わせることによって、ポケット状の袋ができあがる。
そのポッケット状の袋に敷布団を差し込んで使用するため、敷布団の重みで毛布はしっかりと固定される。
よって一度温められた空気が毛布の外に逃げることがなく、又何度も寝返りを打っても毛布が外れない。
【０００７】
以下、本発明の実施の形態を説明する。
（イ）毛布（１）の足元になる幅（２）にタック（３）でゆとりを作ることにより、立体感がその部分に生まれる。
（ロ）その足元になる幅（２）と巻き込み布の幅（１０）とを縫い合わせる。
本発明は以上の構成よりなっている。
本発明は次のようにして使用する。
毛布（１）の足元になる幅（２）と巻き込み布の幅（１０）とを縫い合わせる。
巻き込み布（９）を敷布団に巻き込んで使用するため、敷布団の重みで毛布はしっかりと固定される。
よって一度温められた空気が逃げにくく、又何度も寝返りを打っても毛布が外れない。
巻き込み布（９）を取り付けたことにより、毛布の丈（５）も従来の長さを維持する事ができ、肩、首までしっかりと覆うことができる。
【０００８】
【発明の効果】
本発明を使用することによって、足元にタックを寄せた部分に空間ができ、圧迫感がなくなり、又保温性に優れている。
ポッケト状の袋に敷布団を差し込んで使用するため、何度も寝返りを打っても外れることがなく、掛け布団もずれないので安眠できる。
【０００９】
本発明を使用することによって、足元にタックを寄せた部分に空間ができ、圧迫感がなくなり、又保温性に優れている。
巻き込み布を敷布団に巻き込んで使用するため、何度も寝返りを打っても外れることがなく、掛け布団もずれず安眠できる。
【図面の簡単な説明】
【図１】本発明の斜視図である。
【図２】本発明の分解図である。
【図３】本発明の使用状態を示す斜視図である。
【図４】本発明の使用状態を示す底面図である。
【図５】本発明の斜視図である。
【図６】本発明の分解図である。
【図７】本発明の使用状態を示す斜視図である。
【図８】本発明の使用状態を示す底面図である。
【符号の説明】
１  毛布
２  足元になる幅
３  タック
４  折りこみ部分
５  毛布の丈
６  ポケット布
７  ポケット布の幅
８  ポケット布の側面
９  巻き込み布
１０  巻き込み布の幅
【図１】
2004313696.tif 000003
【図２】
2004313696.tif 000004
【図３】
2004313696.tif 000005
【図４】
2004313696.tif 000006
【図５】
2004313696.tif 000007
【図６】
2004313696.tif 000008
【図７】
2004313696.tif 000009
【図８】
2004313696.tif 000010
(57)【要約】      （修正有）【課題】お玉を鍋に入れたまま鍋の蓋が出来、又お玉を入れたまま火に掛けても、お玉の柄が熱くなったり焦げたりしないような鍋を提供する。【解決手段】片手鍋本体の柄の上部と、蓋の同じ位置に切り欠きを入れ、蓋を閉めた状態で切り欠きを揃え、お玉の柄がそこに収まるようにする。また、お玉の柄と鍋の柄が一体に成るようにした。【選択図】  図２
2004313698.tif 000002
【特許請求の範囲】
【請求項１】
鍋にお玉を入れたまま蓋をする事が出来る。
【請求項２】
鍋の柄の上にお玉をセットする為、お玉を入れたまま鍋を火にかけてもお玉の柄が熱くならない。
【請求項３】
お玉の柄に付いた水分が鍋へ戻る。
【発明の詳細な説明】
【０００１】
【発明の属する技術分野】
本発明は、調理中又は食卓において、お玉を鍋に入れたままにしておける事により  お玉が邪魔にならないで使用出来るようにしたものである。
【０００２】
【従来の技術】
従来はお玉を鍋に入れたまま蓋が出来る鍋はなかった。
【０００３】
【発明が解決しようとする課題】
お玉を鍋に入れたままだと蓋が出来ないのでお玉の置き場所に困る、又お玉を入れたまま火に掛けると、お玉の柄が熱くなったり焦げたりする。本考案は、この課題を解消する為になされたものである。
【０００４】
【課題を解決する為の手段】
鍋の柄２が取りついている部分の上３と、蓋の縁の部分に切り欠き６を入れる。鍋に蓋４をし、両方の切り欠きを会わせると、鍋の柄の上の部分に穴が明き、そこへお玉を設置する
【０００５】
【発明の実施の形態】
以下、本発明の実施の形態について説明する
イ）片手鍋１の柄の取り付け部上部に切り欠き３を入れ、又蓋を閉めた状態で蓋４にも同じ位置に切り欠き６を入れる。
ロ）片手鍋の柄２とお玉の柄５の長さ及び形態をそろえ、片手鍋の柄とお玉の柄の接する部分にマグネット７をつけ、一体に成るようにする。
【０００６】
【発明の効果】
鍋にお玉を入れた状態で蓋を閉める事が出来、お玉の置き場所に困らない。又そのまま火に掛けてもお玉の柄が熱くならない。
【０００７】
【図面の簡単な説明】
【図１】「本発明を示した平面図である。」
【図２】「本発明を示した断面図である。」
【図３】「本発明を示した透視図１である。」
【図４】「本発明を示した透視図２である。」
【符号の説明】
１．鍋本体
２．鍋の柄
３．鍋の切り欠き
４．蓋
５．お玉の柄
６．蓋の切り欠き
７．マグネット
【図１】
2004313698.tif 000003
【図２】
2004313698.tif 000004
【図３】
2004313698.tif 000005
【図４】
2004313698.tif 000006
(57)【要約】【課題】折り畳み式花台の収納や輸送時のスペースを節約し、使用時の強度を得る。【解決手段】支脚１，２，３，４に楕円パイプなどの異型パイプを用いる。【選択図】  図１
2004313699.tif 000002
【特許請求の範囲】
【請求項１】
折り畳み式花台において、支脚にオーバル管などの偏平断面形状のパイプを用いる事を特徴とするもの。
【発明の詳細な説明】
【０００１】
【発明の属する技術分野】
本発明は、開店祝い、冠婚葬祭、展示会などに装飾用として使用される生花あるいは造花などを形成して使用するための折り畳み式花台に関するものである。
【０００２】
【従来の技術】
従来から、折り畳み式花台は収納時に薄く折り畳めるため便利で多用されているが、支脚に丸パイプを用いており、折り畳んで収納する時の厚さがパイプの直径で決まるため、使用時の使い勝手や必要強度、コスト的に小型化に限界があった。
【０００３】
【発明が解決しようとする課題】
そこで、本発明の目的は使い勝手を大幅に変える事無く、収納や輸送時のスペースを節約し、使用時の強度を得る事にある。
【０００４】
【課題を解決するための手段】
上記機能を実現するために、本発明の花台は、断面が楕円、偏平楕円などの異型パイプを支脚に用い、あるいは丸パイプを楕円、偏平円などの断面形状に変形させる事により、使用時の必要強度を維持したまま収納時の薄型化を可能とした。
【発明の実施の形態】
【実施例】
【０００５】
本発明の花台の支脚を楕円形状のパイプで構成した場合を例とする。
図２は花台を折り畳んだ状態の平面図を示す。
このとき、図２のように楕円パイプの短軸が重なるようにすることにより同一断面積の円パイプに比べ、折り畳んだ状態の厚さを薄くできる。
【０００６】
この実施例で、図１は花桶を載せる状態を示す正面図、第３図はそのときの平面図を示す。
枢軸５を中心に旋回して開くことで花桶を載せるスペースが生じる。
このとき、楕円パイプの長軸が放射状に並び耐荷重強度が増す。
【０００７】
【発明の効果】
折り畳んだ状態の厚さを減少させる事ができ、業務用として多数を輸送や収納する場合のスペースを減らすことができる。
異型パイプを支脚に用いることにより、同一重量の円パイプに比べ、長軸方向の強度が増し、接地部を開いた形状での支脚の曲げ部分の変形が少なくなり、同一規格の丸パイプより対荷重を更に増加させることができる。
【図面の簡単な説明】
【図１】本発明における花台の正面図を示す
【図２】折り畳んだ状態の平面図を示す
【図３】図１の状態における平面図を示す
【符号の説明】
１，２，３，４  支脚
５          折り畳み枢軸ピン
６          花桶
７          クロス状支脚連結具
【図１】
2004313699.tif 000003
【図２】
2004313699.tif 000004
【図３】
2004313699.tif 000005
(57)【要約】【課題】パーソナルコンピューターのキーボードにおいて、キースイッチ間の溝内に付着したダストを効果的に取り去ることが可能なキーボード掃除具を提供する。【解決手段】キーボード掃除具は、手持部材と、該手持部材から延設させた平板状の挿入部材と、該挿入部材の先端部の若干部分のみが湾曲可能な掃除部から構成される。この先端部の掃除部と挿入部材が一体的に形成されると共に、少なくとも掃除部にダスト吸着用の拭き取り部材が被覆される。【選択図】図１
2004313691.tif 000002
【特許請求の範囲】
【請求項１】
手持部材と、該手持部材から延設させた平板状の挿入部材と、該挿入部材の先端部の若干部分のみが湾曲可能な掃除部から構成されたことを特徴とするキーボード掃除具。
【請求項２】
前記先端部の掃除部と挿入部材が一体的に形成されたことを特徴とする請求項１記載のキーボード掃除具。
【請求項３】
少なくとも前記掃除部にダスト吸着用の拭き取り部材が被覆されていることを特徴とするキーボード掃除具。
【発明の詳細な説明】
【０００１】
【産業上の利用分野】
本発明は、パーソナルコンピューターのキーボードにおいて、キースイッチ間の溝内に付着したダストを掃除するためのキーボード掃除具に関する。
【０００２】
【従来の枝術】
従来より、パーソナルコンピューターのキーボードにおいて、キースイッチ間の溝内に付着したダストを掃除する道具として、先端部に箒状の化学繊維を設けたキーボード掃除具等、布等を先端部に設けた掃除具等が知られている。
【０００３】
【発明が解決しようとする課題】
しかしながら、従来の掃除具では、キーボードのキースイッチ間に存在するダストを十分に拭き取ることができなかった。
【０００４】
【課題を解決するための手段】
本発明は、これらの従来の掃除具の欠点を改良し、キーボードのスイッチ間のダストを効果的に取り除くことが可能な掃除具を提供するものであり、手持部材と、該手持部材から延設させた平板状の挿入部材と、該挿入部材の先端部の若干部分のみが湾曲可能な掃除部から構成されたものである。そして、先端部の掃除部と挿入部材が一体的に形成されると共に、少なくとも前記掃除部にダスト吸着用の拭き取り部材が被覆されていることを特徴とする。
【０００５】
【作用】
本発明は、上記の如く構成することで、キーボードにおけるキースイッチ間の、特に、隙間から見えないスイッチ周辺部に付着したダストを吸着して取り去ることが可能である。
即ち、本発明は、手持部材と、該手持部材から延設させた平板状の挿入部材から成るへら状の掃除具に対して、挿入部材の先端部の若干部分のみが湾曲可能な掃除部を設けている。これにより、キースイッチ間の溝部に挿入させた挿入部材をキーボードの底部へ押し付けると、その先端部分の掃除部のみが湾曲するので、キートップの裏面側に付着したダストへ先端部が届くことになる。
そして、先端部分の掃除部には、ダスト吸着用の拭き取り部材が被覆されていることから、この拭き取り部材により、ダストを効果的に取り去ることが可能である。
【０００６】
【発明の実施の形態】
以下、発明の実施例について、実施例の図面に基づき説明する。
図１は、本発明のキーボード掃除具の概観図である。
【０００７】
図示の如く、本発明のキーボード掃除具１は、主に、手持部材２と、該手持部材２から延設させた平板状の挿入部材３から構成されている。これらの内、少なくとも挿入部３は、キースイッチのキートップＫ・Ｋ間の溝に挿入できる厚みで形成されると共に、比較的硬質のプラスチック材から形成される。そして、挿入部材３の先端部の若干部分のみが湾曲可能に掃除部４として構成されている。これらの各部は、一体的に形成されることが可能であるが、少なくとも、先端部の掃除部４のみは、薄肉状にして湾曲可能に構成される。
【０００８】
即ち、図２の本発明に係わるキーボード掃除具の使用状態を示す側面概要図に示される如く、前記掃除部４は、その先端をキーボードのキースイッチ、詳細には、キートップＫ・Ｋ間の溝の底部へ押し付けた際に、その部分のみが、キートップＫの裏面直下のスプリング外周に至る十分な長さ部分が湾曲することが好ましい。このため、掃除部４を挿入部３と別体の部材にて形成することも可能であるが、一体の場合は、掃除部４となる部分のみを薄肉として形成することで実現される。
【０００９】
そして、少なくとも前記掃除部４には、ダストＤ吸着用の拭き取り部材５を被覆させる。この拭き取り部材は、溝内のダストを効果的に吸着させる化学繊維系の材質が選択される。また、被覆部分は、キースイッチのキートップＫに引っかかることで剥離しないよう、たとえば、掃除部４を底部に押し付けて湾曲させた際に、キートップの上端部程度に露出する部位まで被覆されることが好ましい。
【００１０】
このようにして、構成された本発明のキーボード掃除具１は、キーボードにおけるキースイッチ間の、特に、隙間から見えないスイッチ周辺部に付着したダストＤを吸着して取り去ることが可能である。
【００１１】
本発明のキーボード掃除具１を使用するに際しては、先ず、手持部材２を手で持ち、キースイッチ間の溝部挿入部材３を挿入させる。この際、キーボードの底部へ先端部を押し付けると、その先端部分の掃除部４のみが湾曲するので、キートップＫの裏面側に付着したダストＤへ先端部が届くことになる。そして、先端部分の掃除部には、ダストＤ吸着用の拭き取り部材５が被覆されていることから、溝に沿ってこれを動かすことで、拭き取り部材５により、見えないダストＤを効果的に取り去ることが可能である。
【００１２】
【発明の効果】
本発明のキーボード掃除具は、前記の如く構成したので、従来では取りにくかったキースイッチ間の溝内、詳細には、キートップの裏面直下に存在するダストを容易且つ効果的に取り去ることが可能になった。また、掃除部の被覆部分を交換することで、経時に亘る使用が可能な有意義な発明である。
【図面の簡単な説明】
【図１】本発明のキーボード掃除具の概観図である。
【図２】本発明のキーボード掃除具の使用状態を示す側面概要図である。
【符号の説明】
１  キーボード掃除具
２  手持部材
３  挿入部材
４  掃除部
５  拭き取り部材
Ｄ  ダスト
Ｋ  キートップ
【図１】
2004313691.tif 000003
【図２】
2004313691.tif 000004
(57)【要約】【課題】多くの人が集まる祭事で、靴を脱いだとき、左右の靴がバラバラになったり、又、似たような靴が多く、他人の靴を間違えて履いてしまうことがあった。これらの課題を取り除くようにしたクリップ機能付携帯用クツベラを提供する。【解決手段】携帯用クツベラ１の任意の箇所に、左右一対の靴を挟むことを目的とした切り込み２を設けたことを特徴とする。【選択図】  図１
2004313685.tif 000002
【特許請求の範囲】
【請求項１】
携帯用クツベラ１の任意の箇所に、左右一対の靴を挟むことを目的とした切り込み２を設けたクリップ機能付携帯用クツベラ。
【発明の詳細な説明】
【０００１】
【発明の属する技術分野】
この発明は、携帯用クツベラの任意の箇所に、左右一対の靴を挟むことを目的とした切り込みを設けたクリップ機能付携帯用クツベラに関するものである。
【０００２】
【従来の技術】
従来の携帯用クツベラは、靴を履き易くすることのみを目的とするものであった。
【０００３】
【発明が解決しようとする課題】
これは次のような欠点があった。
（イ）従来の携帯用クツベラには、左右一対の靴を挟むクリップ機能はなく、多くの人が集まる祭事等で、靴を脱いだとき、左右の靴がバラバラになり、片方の靴が見つからなくなることがあった。
（ロ）従来の携帯用クツベラには、左右一対の靴を挟むクリップ機能はなく、多くの同じような靴の中で自分の靴が解らなくなり、他人の靴と間違えてしまうことがあった。
（ハ）従来は、靴を履くとき、クツベラをどこのポケットに入れたか、探すのが煩わしかった。
本発明は、以上のような欠点を無くすためになされたものである。
【０００４】
【課題を解決するための手段】
携帯用クツベラ１の任意の箇所に、左右一対の靴を挟むことを目的とした切り込み２を設ける。
本発明は、以上の構成よりなるクリップ機能付携帯用クツベラである。
【０００５】
【発明の実施の形態】
以下、本発明の実施の形態について説明する。
携帯用クツベラ１の任意の箇所に、左右一対の靴を挟むことを目的とした切り込み２を設ける。
切り込み２は携帯用クツベラのどの部分に設けてもよい。
切り込み２は一箇所に限らず、数箇所に入れてもよい。
本発明は以上のような構造で、これを使用するときは、脱いだ靴の左右を合わせ、左右の合わさった部分に、切り込み部分を差し込み、左右の靴が離れないようにクリップする。又、携帯用クツベラの色、形、ネームプレートを付けること等で、他人の靴との差別化がはかれ、自分の靴がわかる。
靴を履くとき、ポケットを探してクツベラを取り出す手間が省ける。
【０００６】
【発明の効果】
本発明品を使用することで、脱いだ靴がバラバラにならず、又、多くの似たような靴の中から自分の靴を確実に見つけ出すことができる。
【図面の簡単な説明】
【図１】本発明の斜視図である。
【符号の説明】
１  携帯用クツベラ
２  左右一対の靴を挟むことを目的とした切り込み
【図１】
2004313685.tif 000003
(57)【要約】［課題］オムツカバー型紙オムツと併用して使用するパットは便を漏らさずうけられるように大判で正方形の紙オムツの便取りパットを提供する。［解決手段］大判で正方形の吸取紙を１０枚重ね（１）、外側をビニール（２）で包み、内側を薄紙（３）でカバーした形を設けたことを特徴とする。【選択図】  図１
2004313683.tif 000002
【特許請求の範囲】
【請求項１】
１０枚の吸取紙（１）を重ね、外側の面をビニールで包み（２）内側を薄紙で覆った（３）正方形の大判のパット。
【発明の詳細な説明】
この発明は、大判で正方形にしたことにより、便を外に漏らさず受けやすくなるものである。
［応用例］
尿取りパットからあふれた尿を受けるにも適し、女性は後ろに敷き、男性は前に当てると便利だった。
【０００１】
［発明の属する技術分野］
この発明は、１０枚の吸取紙を片面ビニールで包み、片面を薄紙でカバーした正方形の大判な便取りパットに関するものである。
【０００２】
［従来の技術］
従来はオムツカバー型紙オムツのみの使用で便を受けていたが、内ももから漏れるので不便であった。あるいは、尿取りパットを便用に当て、オムツカバー型紙オムツと併用使用するとパットに収まらず紙オムツも汚れてしまうので不便であった。いずれも便は前の方まで汚れが上がってくるので大変不快であった。
【０００３】
［発明が解決しようとする課題］
これには次のような欠点があった。紙オムツ式オムツカバーのみではその都度交換するので資源の無駄になり、内ももから漏れた便は衣類まで汚れてしまうので衣類の交換も伴って手間がかかり困ることが多かった。尿取りパットを便用に使った場合もパットに収まらず、紙オムツカバーまで汚れ、交換せねばならず資源の無駄にもなり困ることが多かった。また、便用に当てた尿取りパットは肛門が押さえられるような感触があり不快であった。尿パット使用不使用のいずれも便が前の方に上がってくるので不衛生になりやすく洗浄に手間がかかり困ることが多かった。本発明は以上のような欠点をなくすためになされたものである。
【０００４】
［課題を解決するための手段］
正方形の１０枚の吸取紙を重ね（１）、外側の面をビニール（２）で包み、内側を薄紙（３）でカバーする。本発明は以上の構成よりなる大判の便取りパットである。大判なので凹凸感もなく、お尻全体をカバーし、便が漏れるのを防ぐ。
【０００５】
［本発明の実施形態］
以下、本発明の実施形態について説明する。正方形の吸取紙を１０枚重ね（１）、外側をビニール（２）で包み、内側を薄紙（３）でカバーする。本発明は以上のような構造でこれを使用するときは菱形になるようにお尻全体に当たるようにオムツカバー型紙オムツの中に敷けばよい。
【０００６】
［発明の効果］
大判で正方形のパットは菱形にお尻に当てるので感触もよく、紙オムツのカバーを汚さずに便を受けるため、交換が楽で資源の無駄も防げた。また前に当たる部分の角を内側に一折すると陰部の汚れを防ぎ清潔が保てるので便利だった。
【図面の簡単な説明】
【図１】本発明の斜視図である。
【図２】本発明の使用状態を表す図である。
【符号の説明】
１．吸取紙
２．ビニール
３．薄紙
【図１】
2004313683.tif 000003
【図２】
2004313683.tif 000004